(57)【要約】【課題】シャフトレバーにピアノ線等を引っ掛けて、これを引き下げると、シャフトレバーの途中から、折れてしまい、シャフトレバーの手前側が外れるようにすることにより、不正行為を行った遊技者を動揺させるとともに、遊技店の店員には、不正行為が行われたことが一見して解るようにして、不正行為の抑止を図ることができる遊技機を提供する。【解決手段】前シャフトレバー(130)と後シャフトレバー(140)との間隙(220)から入り込んだ異物が移動体(180)を移動させることにより、移動係止部(181)及び固定係止部(133)の係止が外れたときには、連結棒(170)が後摺動収納部(141)に移動し、シャフトレバー(120)が、前シャフトレバー(130)と後シャフトレバー(140)とに分離可能に形成されていることを特徴とする。【選択図】図２
2009028383.tif 000002
【特許請求の範囲】
【請求項１】
前端を遊技機の前方へ突出させ後端を遊技機の内部に位置させて揺動可能に軸支されているシャフトレバーと、
前記シャフトレバーの手前側に固定された握り玉と、
前記シャフトレバーの後方側には前記シャフトレバーの揺動に伴う変位によってＯＮとＯＦＦとの切り替えを検出する検出部とを備えた遊技機用スイッチにおいて、
前記シャフトレバーは、
前記シャフトレバーの後端部に位置して遊技機の内部から前方へ突出する後シャフトレバーと、
前記シャフトレバーの前端部に位置して前記後シャフトレバーの前端に接続されて、更に前方へ突出する前シャフトレバーと、
前記後シャフトレバー及び前記前シャフトレバーを連結する連結部とを備え、
前記連結部は、
前記後シャフトレバー及び前記前シャフトレバーを一体に揺動可能とすると共に、後方へ付勢されて移動可能な連結棒と、
前記連結棒から、前記連結棒の中心軸に交差する方向に向かって進退可能な移動体とを備え、
前記移動体は、外方に向かって突出して前記前シャフトレバーに係止可能な移動係止部を備え、
前記移動体の一部は、前記前シャフトレバーと前記後シャフトレバーとの間隙から外方に露出するように形成され、
前記後シャフトレバーは、前記連結棒を前後方向に摺動可能な後摺動収納部を備え、
前記前シャフトレバーは、前記連結棒を前後方向に摺動可能な前摺動収納部を備え、
前記前摺動収納部は、内方に突出して前記移動係止部に係止可能な固定係止部を備え、
前記移動係止部が、前記固定係止部に係止することにより、前記連結棒が前記後摺動収納部及び前記前摺動収納部の両方に跨る位置で固定されたときに、前記前シャフトレバー及び前記後シャフトレバーが一体の前記シャフトレバーとして機能し、
前記前シャフトレバーと前記後シャフトレバーとの前記間隙から入り込んだ異物が前記移動体を移動させることにより、前記移動係止部及び前記固定係止部の係止が外れたときには、前記連結棒が前記後摺動収納部に移動し、前記シャフトレバーが、前記前シャフトレバーと前記後シャフトレバーとに分離可能に形成されていることを特徴とする遊技機用スイッチ。
【請求項２】
前記移動体は、前記前シャフトレバー及び前記後シャフトレバーが一体として前記シャフトレバーを形成している際、前記連結棒の内部から上方に向かって一定の移動範囲内で移動可能に形成され、
前記移動体は、前記移動係止部が上方に向かって突出するように形成されるとともに、移動範囲の上側にあるときには、前記移動係止部が前記固定係止部に係止して、前記前シャフトレバーが前記後シャフトレバーの前端から外れなくなるように形成され、
前記後シャフトレバーの前端には、前方側に向かうに従って高さが次第に低くなるように滑らかに傾斜する後傾斜部を形成し、
前記前シャフトレバーの後端には、後方側に向かうに従って高さが次第に低くなるように滑らかに傾斜する前傾斜部を形成し、
前記後傾斜部及び前記前傾斜部の間には、前記間隙を形成し、前記間隙から前記移動体の一部が露出するように形成され、
前記移動体は、弾性体により上方に向かって付勢され、
前記後傾斜部及び前記前傾斜部の間から露出する前記移動体の一部を下方へ押圧すると、前記移動体が下方へ移動するとともに前記移動係止部が下方へ移動して、前記移動係止部と前記固定係止部との係止が解除されるように形成されていることを特徴とする請求項１記載の遊技機用スイッチ。
【請求項３】
前記連結棒を、前記後摺動収納部の内部に引っ張るとともに、所定範囲以上には前方へ移動させない移動拘束手段を備えていることを特徴とする請求項１又は請求項２記載の遊技機。
【請求項４】
前記前シャフトレバーが、前記後シャフトレバーから外れた状態でも、前記前シャフトレバーを前記後シャフトレバーに繋いでおくための連結具を備えていることを特徴とする請求項１から３までのいずれか１項に記載の遊技機用スイッチ。
【発明の詳細な説明】
【技術分野】
【０００１】
この発明は、遊技機用スイッチに関し、更に詳しくは、操作タイミングをカウンタ回路の周期に合わせることで特定の数値範囲を狙い、これにより特定の抽選結果を高確率で引き当てようとする不正行為を抑止できる遊技機用スイッチに関するものである。
【背景技術】
【０００２】
従来、スロットマシンなどの遊技機では、スタートスイッチを操作すると、当選抽選手段によって、複数の役のうちのいずれかに当選したか、又はハズレかの抽選が行われる。また、いずれかの役に当選すると、当選した役に対応する入賞図柄配列が入賞有効ライン上に揃うことができるように、各回転リールの停止制御が行われる。そして、すべての回転リールの回転が停止したときに、入賞ライン上に入賞図柄配列が揃うと、当選した役に入賞となり、遊技者に対して所定の利益（通常では、所定枚数の遊技メダルの払い出し）が付与される。
また、当選抽選手段は、所定の範囲内（例えば、１０進数で０〜１６３８３或いは０〜６５５３５）でインクリメントするカウンタ回路の数値を、スタートスイッチが操作されたタイミングでラッチし、このラッチした数値を、当選抽選判定テーブルと照合して、いずれの役に当選したか、またはハズレかを決定している。
【０００３】
この当選抽選判定テーブルには、例えば、ラッチした数値が、０〜９９の範囲内であればビッグボーナス当選（ＢＢゲーム当選）とし、１００〜２９９の範囲内であればレギュラーボーナス当選（ＲＢゲーム当選）とし、３００〜６９９の範囲内であれば小役当選とし、７００〜２９９９の範囲内であればリプレイ当選とし、それ以外であればハズレとする旨が予め定められている。
このため、スタートスイッチがランダムに操作されれば、当選抽選手段の抽選結果は、当選抽選テーブルに定められた各数値範囲の比率に従ったものになると期待されるが、カウンタ回路の周期に合わせてスタートスイッチが操作されると、ラッチされる数値が特定の範囲内に偏ることから、当選抽選手段の抽選結果も特定のものに偏ってしまうこととなる。
【０００４】
そして、このような遊技機の特性を悪用し、特定の抽選結果（特にＢＢゲーム当選）を当選確率等より予め予定される期待値よりも高確率で引き当て（当選し）、遊技店の想定を超える利益を獲得するという不正行為が従来から問題視されている。
また、このような不正行為は、例えば、スタートスイッチの操作レバー（シャフトレバー）に引っかけられるピアノ線と、このピアノ線を下方へ引っ張るソレノイドと、このソレノイドの駆動を制御する制御部とを備えた不正器具を用いて行われることがある。この不正器具は、カウンタ回路の数値が特定の抽選結果（特にＢＢゲーム）となる範囲内に入ったタイミングでソレノイドが駆動するように調整して使用されるものである。
【０００５】
そして、このような不正行為の防止策として、例えば、カウンタ回路の周期を順次変更する技術（特許文献１参照）や、操作レバー（シャフトレバー）の揺動に連動してフォトセンサーの遮光部を遊動させる技術（特許文献２〜４参照）などがある。
【特許文献１】特開２００２−３２０７１８号公報
【特許文献２】特開２００５−７３８３８号公報
【特許文献３】特開２００５−８１００４号公報
【特許文献４】特開２００５−８７５８３号公報
【発明の開示】
【発明が解決しようとする課題】
【０００６】
しかし、特許文献１に開示されている技術では、制御プログラムが複雑化してしまい、また、特許文献２〜４に開示されている技術では、フォトセンサーの遮光部が遊動するためにＯＮとＯＦＦとの切り替えが不安定になってしまう。
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する問題点に鑑みてなされたものであり、その目的とするところは、不正行為の抑止を図ることができる上に、制御プログラムが複雑化することもなく、また、ＯＮとＯＦＦとの切り替えが不安定になることもない遊技機用スイッチを提供しようとするものである。
【０００７】
（請求項２）  請求項２記載の発明は、上記した請求項１記載の発明の目的に加え、次の点を目的とする。すなわち、請求項２記載の発明は、移動係止部及び固定係止部の係止を確実に解除可能な遊技機用スイッチを提供しようとするものである。
（請求項３）  請求項３記載の発明は、上記した請求項１又は請求項２記載の発明の目的に加え、次の点を目的とする。すなわち、請求項３記載の発明は、シャフトレバー一体として使用されているときの前シャフトレバーや、前シャフトレバーが外れたときの連結棒が、前方に引っ張りだされないように固定可能な遊技機用スイッチを提供しようとするものである。
【０００８】
（請求項４）  請求項４記載の発明は、上記した請求項１乃至３のいずれか１項に記載の発明の目的に加え、次の点を目的とする。すなわち、請求項４記載の発明は、外れた前シャフトレバー及び握り玉が紛失しないようにした遊技機用スイッチを提供しようとするものである。
【課題を解決するための手段】
【０００９】
（請求項１）
（特徴点）  請求項１記載の発明は、次の点を特徴とする。すなわち、前端を遊技機(10)の前方へ突出させ後端を遊技機(10)の内部に位置させて揺動可能に軸支されているシャフトレバー(120)と、前記シャフトレバー(120)の手前側に固定された握り玉(150)と、前記シャフトレバー(120)の後方側には前記シャフトレバー(120)の揺動に伴う変位によってＯＮとＯＦＦとの切り替えを検出する検出部(100)とを備えた遊技機用スイッチ(30)において、前記シャフトレバー(120)は、前記シャフトレバー(120)の後端部に位置して遊技機(10)の内部から前方へ突出する後シャフトレバー(140)と、前記シャフトレバー(120)の前端部に位置して前記後シャフトレバー(140)の前端に接続されて、更に前方へ突出する前シャフトレバー(130)と、前記後シャフトレバー(140)及び前記前シャフトレバー(130)を連結する連結部(160)とを備え、前記連結部(160)は、前記後シャフトレバー(140)及び前記前シャフトレバー(130)を一体に揺動可能とすると共に、後方へ付勢されて移動可能な連結棒(170)と、前記連結棒(170)から、前記連結棒(170)の中心軸に交差する方向に向かって進退可能な移動体(180)とを備え、前記移動体(180)は、外方に向かって突出して前記前シャフトレバー(130)に係止可能な移動係止部(181)を備え、前記移動体(180)の一部は、前記前シャフトレバー(130)と前記後シャフトレバー(140)との間隙(220)から外方に露出するように形成され、前記後シャフトレバー(140)は、前記連結棒(170)を前後方向に摺動可能な後摺動収納部(141)を備え、前記前シャフトレバー(130)は、前記連結棒(170)を前後方向に摺動可能な前摺動収納部(131)を備え、前記前摺動収納部(131)は、内方に突出して前記移動係止部(181)に係止可能な固定係止部(133)を備え、前記移動係止部(181)が、前記固定係止部(133)に係止することにより、前記連結棒(170)が前記後摺動収納部(141)及び前記前摺動収納部(131)の両方に跨る位置で固定されたときに、前記前シャフトレバー(130)及び前記後シャフトレバー(140)が一体の前記シャフトレバー(120)として機能し、前記前シャフトレバー(130)と前記後シャフトレバー(140)との前記間隙(220)から入り込んだ異物が前記移動体(180)を移動させることにより、前記移動係止部(181)及び前記固定係止部(133)の係止が外れたときには、前記連結棒(170)が前記後摺動収納部(141)に移動し、前記シャフトレバー(120)が、前記前シャフトレバー(130)と前記後シャフトレバー(140)とに分離可能に形成されていることを特徴とする。
【００１０】
また、ここで、「遊技機(10)」とは、具体的には、例えば、スロットマシンであるが、上述した回転リール(40)を有するパチンコ機や、その他の遊技機を含むものである。
前記検出部(100)は、シャフトレバー(120)の揺動可能に軸支されている箇所よりも後方側に設けられるものであって、シャフトレバー(120)の揺動に伴う変位によってＯＮとＯＦＦとの切り替えを検出するためのものである。例えば、検出部(100)は、発光部(71)及び受光部(72)を有するフォトセンサー(70)と、発光部(71)からの光を遮蔽可能な遮蔽部(73)とを備えているものである。そして、シャフトレバー(120)の後端に遮蔽部(73)を固定しているようなものである。そして、シャフトレバー(120)が中央位置にあるときには、遮蔽部(73)が発光部(71)と受光部(72)との間に位置して、発光部(71)から受光部(72)への光路を遮るが、シャフトレバー(120)が揺動したときには、シャフトレバー(120)の揺動にともなって遮蔽部(73)が移動し、発光部(71)からの光が遮蔽されずに受光部(72)へ入射するようなものである。このようにして、シャフトレバー(120)の揺動により、ＯＮとＯＦＦとの切り替えを検出することができるようなものである。
【００１１】
（作用）  本発明は、移動体(180)から突出する移動係止部(181)が、前摺動収納部(131)の固定係止部(133)に係止することにより、連結棒(170)が、前摺動収納部(131)及び後摺動収納部(141)の両方に跨る位置で固定されたときに、前シャフトレバー(130)及び後シャフトレバー(140)が一体のシャフトレバー(120)として機能する。すなわち、移動係止部(181)及び固定係止部(133)が係止している状態では、通常の一本のシャフトレバー(120)として機能し、握り玉(150)を握ってシャフトレバー(120)を揺動させることにより、検出部(100)を介して、ＯＮ、ＯＦＦの切り替えを行うことができる。
一方、不正行為者が、前シャフトレバー(130)と後シャフトレバー(140)との間隙(220)からワイヤ等の不正行為具（例えば、図５及び図６の不正行為ワイヤ(300)）を掛けると、前シャフトレバー(130)及び後シャフトレバー(140)の間から一部が露出する移動体(180)に接触する。移動体(180)は、連結棒(170)から進退可能に形成されていることにより、異物（不正行為ワイヤ(300)）が接触することで、移動体(180)が移動する。この移動体(180)の移動により、移動体(180)から突出する移動係止部(181)が移動して、移動係止部(181)及び固定係止部(133)の係止が外れたときには、連結棒(170)が後摺動収納部(141)への付勢力により移動する。前シャフトレバー(130)及び後シャフトレバー(140)の両方に跨る位置にあることにより、両者を一体のシャフトレバー(120)として機能していた連結棒(170)が、後シャフトレバー(140)へ移動することにより、シャフトレバー(120)は、前シャフトレバー(130)と、後シャフトレバー(140)との２つに分離する。
【００１２】
不正行為者は、遊技機用スイッチ(30)のシャフトレバー(120)が２つに分離したことにより、動揺し、また、シャフトレバー(120)の分離は、外部から一見して判別することができるため、遊技店の店員もすぐ気がつくことになる。これにより、不正行為の抑止を図ることができる。その上、このような形で、不正行為の抑止を図れば、制御プログラムが複雑化することもなく、また、ＯＮとＯＦＦとの切り替えが不安定になることもない。
（請求項２）
（特徴点）  請求項２記載の発明は、上記した請求項１記載の発明の特徴点に加え、次の点を特徴とする。すなわち、前記移動体(180)は、前記前シャフトレバー(130)及び前記後シャフトレバー(140)が一体として前記シャフトレバー(120)を形成している際、前記連結棒(170)の内部から上方に向かって一定の移動範囲内で移動可能に形成され、前記移動体(180)は、前記移動係止部(181)が上方に向かって突出するように形成されるとともに、移動範囲の上側にあるときには、前記移動係止部(181)が前記固定係止部(133)に係止して、前記前シャフトレバー(130)が前記後シャフトレバー(140)の前端から外れなくなるように形成され、前記後シャフトレバー(140)の前端には、前方側に向かうに従って高さが次第に低くなるように滑らかに傾斜する後傾斜部(200)を形成し、前記前シャフトレバー(130)の後端には、後方側に向かうに従って高さが次第に低くなるように滑らかに傾斜する前傾斜部(210)を形成し、前記後傾斜部(200)及び前記前傾斜部(210)の間には、前記間隙(220)を形成し、前記間隙(220)から前記移動体(180)の一部が露出するように形成され、前記移動体(180)は、弾性体により上方に向かって付勢され、前記後傾斜部(200)及び前記前傾斜部(210)の間から露出する前記移動体(180)の一部を下方へ押圧すると、前記移動体(180)が下方へ移動するとともに前記移動係止部(181)が下方へ移動して、前記移動係止部(181)と前記固定係止部(133)との係止が解除されるように形成されていることを特徴とする。
【００１３】
（作用）  本発明は、後シャフトレバー(140)の前端の後傾斜部(200)は、前方側に向かうに従って高さが次第に低くなるように滑らかに傾斜している。そして、前シャフトレバー(130)の後端の前傾斜部(210)は、後方側に向かうに従って高さが次第に低くなるように滑らかに傾斜している。そして、後傾斜部(200)及び前傾斜部(210)の間には、間隙(220)を形成し、その間隙(220)から移動体(180)の一部が露出している。すなわち、シャフトレバー(120)は、前傾斜部(210)及び後傾斜部(200)により、Ｖ字形の凹部が形成されることとなる。このＶ字形の凹部は、前から後へ向かうと、まず、下り傾斜し、移動体(180)が露出する間隙(220)が配置され、その後に上り傾斜するものである。この前傾斜部(210)と、後傾斜部(200)との間隙(220)が、Ｖ字形の凹部の谷底になり、この谷底の部分に、移動体(180)の一部が露出していることになる。
【００１４】
したがって、不正行為者がピアノ線等の不正行為具（例えば、図５及び図６の不正行為ワイヤ(300)）をシャフトレバー(120)の前傾斜部(210)から後傾斜部(200)の間に掛けて下方に引っ張ると、前傾斜部(210)又は後傾斜部(200)の斜面に案内されて、ピアノ線等の不正行為ワイヤ(300)が、前傾斜部(210)及び後傾斜部(200)の間隙(220)に入り込み、移動体(180)を下方に押圧することになる。
この移動体(180)は、連結棒(170)の内部から上方に向かって一定の移動範囲内で移動可能に形成され、その移動範囲の上側にあるときには、移動係止部(181)が固定係止部(133)に係止して、前シャフトレバー(130)が後シャフトレバー(140)の前端から外れないように形成されている。しかし、間隙(220)に入り込んだ不正行為具等の異物により、前傾斜部(210)及び後傾斜部(200)の間から露出する移動体(180)の一部が下方へ押圧されると、移動体(180)が下方へ移動するとともに、移動係止部(181)が下方へ移動して、移動係止部(181)と固定係止部(133)との係止が解除される。そして、移動係止部(181)及び固定係止部(133)の係止が外れたときには、後摺動収納部(141)及び前摺動収納部(131)の両方に跨る位置にあった連結棒(170)が後摺動収納部(141)へ移動し、前摺動収納部(131)を連結棒(170)で保持することができなくなる。すなわち、シャフトレバー(120)が、前シャフトレバー(130)と、後シャフトレバー(140)とに分離される。
【００１５】
結果として、不正行為者は、遊技機用スイッチ(30)のシャフトレバー(120)が２つに分離したことにより、動揺し、また、シャフトレバー(120)の分離は、外部から一見して判別することができるため、遊技店の店員もすぐ気がつくことになる。これにより、不正行為の抑止を図ることができる。
（請求項３）
（特徴点）  請求項３記載の発明は、上記した請求項１又は請求項２記載の発明の特徴点に加え、次の点を特徴とする。すなわち、前記連結棒(170)を、前記後摺動収納部(141)の内部に引っ張るとともに、所定範囲以上には前方へ移動させない移動拘束手段(190)を備えていることを特徴とする。
【００１６】
（作用）  本発明は、移動係止部(181)及び固定係止部(133)の係止が解除されたときに、連結棒(170)を後摺動収納部(141)の内部へ引っ張りこんで、連結棒(170)を後摺動収納部(141)内部へ収納することができる。また、移動拘束手段(190)は、連結棒(170)を所定範囲以上には前方へ移動させないことにより、前シャフトレバー(130)及び後シャフトレバー(140)を一体としたシャフトレバー(120)として機能させているときに、握り玉(150)を手前に引いても、前シャフトレバー(130)が、後シャフトレバー(140)から手前側に移動させないように固定することができる。
また、不正行為により、前シャフトレバー(130)及び後シャフトレバー(140)が分離されたときに、連結棒(170)を後摺動収納部(141)から、引っ張りだされることを防止することができる。
【００１７】
（請求項４）
（特徴点）  請求項４記載の発明は、上記した請求項１乃至３のいずれか１項に記載の発明の特徴点に加え、次の点を特徴とする。すなわち、前記前シャフトレバー(130)が、前記後シャフトレバー(140)から外れた状態でも、前記前シャフトレバー(130)を前記後シャフトレバー(140)に繋いでおくための連結具(230)を備えていることを特徴とする。
ここで、「連結具(230)」は、前シャフトレバー(130)が、後シャフトレバー(140)の前端から外れた状態でも、前シャフトレバー(130)及び握り玉(150)を、後シャフトレバー(140)に繋いでおくためのものである。
【００１８】
（作用）  本発明は、たとえ不正行為が行われて後シャフトレバー(140)の前端から、前シャフトレバー(130)及び握り玉(150)が外れたとしても、外れた前シャフトレバー(130)及び握り玉(150)が連結具(230)により、後シャフトレバー(140)に繋ぎ止められることから、外れた前シャフトレバー(130)及び握り玉(150)が紛失しない。
【発明の効果】
【００１９】
本発明は、以上のように構成されているので、以下に記載されるような効果を奏する。
（請求項１）  請求項１記載の発明によれば、次のような効果を奏する。すなわち、不正行為の抑止を図ることができる上に、制御プログラムが複雑化することもなく、また、ＯＮとＯＦＦとの切り替えが不安定になることもない遊技機用スイッチを提供することができる。
（請求項２）  請求項２記載の発明によれば、上記した請求項１記載の発明の効果に加え、次のような効果を奏する。すなわち、請求項２記載の発明によれば、移動係止部及び固定係止部の係止を確実に解除可能な遊技機用スイッチを提供することができる。
【００２０】
（請求項３）  請求項３記載の発明によれば、上記した請求項１又は請求項２記載の発明の効果に加え、次のような効果を奏する。すなわち、請求項３記載の発明によれば、シャフトレバー一体として使用されているときの前シャフトレバーや、前シャフトレバーが外れたときの連結棒が、前方に引っ張りだされないように固定可能な遊技機用スイッチを提供することができる。
（請求項４）  請求項４記載の発明によれば、上記した請求項１から３までのいずれか１項に記載の発明の効果に加え、次のような効果を奏する。すなわち、請求項４記載の発明によれば、外れた前シャフトレバー及び握り玉が紛失しないようにした遊技機用スイッチを提供することができる。
【発明を実施するための最良の形態】
【００２１】
（図面の説明）  図１乃至図９は、本発明の実施の形態を示すものである。図１は遊技機の外観斜視図、図２は遊技機用スイッチの断面図であって、（Ａ）は遊技機用スイッチの縦断面図、（Ｂ）は遊技機用スイッチの横断面図、図３及び図４は前シャフトレバー及び後シャフトレバーが一体としてシャフトレバーとして使用されている状態であって、図３は当該状態の遊技機用スイッチの部分縦断面図、図４は当該状態の遊技機用スイッチの部分拡大縦断面図、図５及び図６は不正行為ワイヤが掛けられて移動体が押し下げられている状態であって、図５は当該状態の遊技機用スイッチの部分縦断面図、図６は当該状態の遊技機用スイッチの部分拡大縦断面図、図７及び図８は連結棒が引っ込んで前シャフトレバーが外れた状態であって、図７は当該状態の遊技機用スイッチの部分縦断面図、図８は当該状態の遊技機用スイッチの部分拡大縦断面図、図９は遊技機用スイッチの部分拡大外観斜視図をそれぞれ示すものである。
【００２２】
（遊技機10）  遊技機10は、正面に向かって開口する正面開口部を有する四角箱状の筐体11を有する。この筐体11の正面開口部の向かって左縁側には、筐体11の正面開口部を開閉自在に塞ぐ前扉14がヒンジにより軸支されている。前記前扉14の中央部から上部には、遊技者側に向かって臨む略四角窓状の表示窓12が形成されている。そして、この表示窓12の略中央には、三個の回転リール40の図柄61、いわゆる停止図柄61を見ることができる図柄表示窓13が形成されている。この図柄表示窓13の奥側には、３個の回転リール40を収納したリールユニット60が収納されている。
前記前扉14の中央には、遊技者が操作可能な種々のスイッチが配置されている操作パネル35が形成されている。この操作パネル35の上面には、クレジットメダルからのメダル投入を可能にするベットスイッチ16や、遊技メダルを投入するためのメダル投入口18が配置されている。そして、操作パネル35の前面側には、遊技を止めるときにクレジットメダルを精算するための精算スイッチ17や、回転リール40の回転を開始させるためのスタートスイッチ31や、回転リール40の回転を停止させるためのストップスイッチ50が配置されている。そして、操作パネル35の内部であって、メダル投入口18の下部には、投入された遊技メダルを検知するための投入スイッチ15が配置されている。
【００２３】
前記前扉14の下部の内部には、遊技メダルを収納するとともに払い出しが可能な払い出し装置65が収納されている。
そして、前扉14の下部には、入賞した場合に、払い出し装置65から賞品としての遊技媒体が払い出される払い出し口32が形成されている。そして、この払い出し口32の下方には、払い出し口32から払い出された遊技媒体を貯留するための上方に向かって開口する皿状の払い出し皿33が形成されている。
また、前扉14には、遊技者には、遊技情報を遊技者に報知するための報知手段66が形成されている。この報知手段66は、表示装置68、報知ランプ69及びスピーカー67を備えているものである。
【００２４】
前記回転リール40は、向かって左端側に位置する左側回転リールと、向かって右端側に位置する右側回転リールと、この左側回転リール及び右側回転リールの間に位置する中央回転リールとからなるものである。そして、遊技機10の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、遊技メダルの投入枚数が、１枚の場合、五本の入賞ラインのうち、横中央の一本が入賞有効ラインとなる。そして、遊技メダルの投入枚数が、２枚の場合、五本の入賞ラインのうち、横方向の三本が入賞有効ラインとなる。そして、遊技メダルの投入枚数が、３枚の場合、対角線も含めた五本の入賞ラインの全部が、入賞有効ラインとなる。
【００２５】
遊技機10の内部には、図示していないが、遊技機10の全体の動作を制御するための制御装置が内蔵されている。
なお、ここで、「前面」や「前方向」や「手前方向」とは、遊技者が、遊技機10の正面側の前に遊技機10の方に顔を向けて座って、或いは、立っているような場合のかかる遊技者から見た場合の奥から手前への方向を意味する。したがって、前方向や手前方向とは、遊技機10の奥から正面へ向かう方向を意味する。
また、「背面」や「後方向」や「奥方向」とは、遊技者が、遊技機10の正面側に遊技機10の方を向いて位置しているような場合のかかる遊技者から見たときの手前から奥への方向を意味する。したがって、後方向とは、遊技機10の正面から奥（後ろ）へ向かう方向を意味する。また、本明細書における「左方向」や「右方向」等の左右方向も、かかる遊技機10の前面の方を向いて位置している者から見た場合の右方向や、左方向を意味する。
【００２６】
（投入スイッチ15）  前記投入スイッチ15は、図１に示すように、回転リール40の斜め下方の遊技機10内部に設けたスイッチであって、遊技メダルのメダル投入口18から投入された遊技メダルを検知するためのものである。
（ベットスイッチ16）  前記ベットスイッチ16は、図１に示すように、回転リール40の下方に位置するスイッチであって、遊技者により予め投入されて遊技機内部に貯留した貯留メダル数を減じてメダル投入に代えるためのものである。
（精算スイッチ17）  前記精算スイッチ17は、図１に示すように、回転リール40の斜め下方に位置するスイッチであって、貯留した投入メダルを払い出すためのものである。
【００２７】
（スタートスイッチ31）  前記スタートスイッチ31は、図柄表示手段としての回転リール40の回転停止表示を回転変動表示へ移行させるために遊技者により変動開始操作が可能な変動表示開始手段である。このスタートスイッチ31は、図１に示すように、回転リール40の斜め下方に位置するレバーであって、遊技メダルの投入若しくはベットスイッチ16の投入を条件に、リールユニット60の駆動を開始させるためのものである。
本実施の形態では、遊技機用スイッチ30として、スタートスイッチ31を設定している。この遊技機用スイッチ30としてのスタートスイッチ31は後で詳細に説明する。
（ストップスイッチ50）  前記ストップスイッチ50は、前記図柄表示手段の回転変動表示を回転停止表示へ移行させるために遊技者により複数個の前記図柄表示手段を別個独立に停止操作が可能な変動表示停止手段であって、リールユニット60の駆動モーターの回転を停止させるためのものである。具体的には、ストップスイッチ50は、図１に示すように、各回転リール40に対応した三個のスイッチから構成され、各回転リール40の下方に１個ずつ配置されているものである。遊技者が回転リール40に対応したストップスイッチ50を指で押す又は触れる等の停止操作により、当該対応した回転リール40が回転を停止するように設定されているものである。
（リールユニット60（モータードライバ、駆動モーター））  前記リールユニット60は、複数の配列された図柄を回転変動表示又は回転停止表示するための複数個の図柄表示手段を備えているものである。この図柄表示手段は、２１個の図柄を周囲に均等に配列した筒状の回転リール40を有している。すなわち、リールユニット60には、３個の駆動モーターが、基体としての枠体に固定或いは支持されている。そして、各々の駆動モーターの回転駆動軸には、三個の回転リール40の回転中心軸が固定されている。そして、各回転リール40は、合成樹脂からなる回転ドラムと、この回転ドラムの周囲に貼付されるテープ状のリールテープ42とを備えている。このリールテープ42の外周面には、複数個（２１個）の図柄61が表示されている。そして、回転リール40の一部に、突出している突出片状のいわゆるスタートインデックスが形成してある。そして、駆動モーターによる回転を開始した後、前記スタートインデックスを光センサー等により検知してからの回転角度を認識することで、現在位置を特定し、その後、所定角度で停止させることによって、停止制御が行われるものである。この光センサーは、全体形状が、略コ字状であって、一端に発光素子（ＬＥＤ）が配置され、他端に受光素子（フォトトランジスタ）が配置され、そのコ字状の内部を、突出片状のスタートインデックスが移動することにより、発光素子からの光が遮断され、スタートインデックスの位置を検知可能なものである。
【００２８】
（貯留払い出し手段65）  前記貯留払い出し手段65は、いわゆるホッパーユニットであって、図１の点線で示すように遊技機10内部に形成され、投入された遊技媒体を貯留することができるとともに、入賞した場合に、遊技者に向かって所定数の遊技媒体としての遊技メダルを払い出し口32から払い出し皿33へ払い出すためのものである。
（報知手段66）  前記報知手段66は、遊技者に当選や入賞等を音や光や映像で報知させるためのものである。具体的には、報知手段66は、筐体11に埋め込まれた左右のスピーカー67と、表示窓12の上部中央に配置された液晶の表示装置68と、表示窓12の周囲縁に配置された５個の報知ランプ69とを備えているものである。そして、この報知手段66は、制御により、当選時や入賞時にスピーカー67から当選音や入賞音を発生させ、報知ランプ69を点灯又は点滅させることにより、また、表示装置68に図柄模様や文字列を点灯表示させることにより、遊技者に当選や入賞等を報知させるためのものである。
【００２９】
（制御装置）  前記制御装置は、遊技機10を制御するためのものであって、ＣＰＵ、ＲＡＭ、ＲＯＭ及びＩ／Ｏなどを備えたマイクロコンピュータを用いて構成されている。また、制御装置の入力手段として、スタートスイッチ31、ストップスイッチ50、ベットスイッチ16等が接続されている。
また、制御装置の出力手段としては、リールユニット60などが接続されている。
また、制御装置には、遊技制御手段、当選抽選手段、停止制御手段等を備えている。ＣＰＵがＲＯＭに記憶された所定のプログラムを実行することにより、制御装置を構成するマイクロコンピュータが、遊技制御手段、当選抽選手段、停止制御手段等として機能するのである。
【００３０】
（遊技制御手段）  前記遊技制御手段は、遊技を制御するためのものである。遊技メダルをメダル投入口18からのメダル投入、或いは、ベットスイッチ16によりクレジットメダルからのメダル投入をすると、遊技メダルのベット枚数に応じた本数の入賞ラインが有効になる。具体的には、１回の遊技につき投入可能な遊技メダルの枚数は、最大で３枚とされている。そして、遊技メダルの投入枚数が１枚のときには、入賞ラインが１本のみ有効になり、また、遊技メダルの投入枚数が２枚のときには、３本の入賞ラインが有効になり、また、遊技メダルの投入枚数が３枚のときには、５本すべての入賞ラインが有効になる。また、遊技メダルの投入を条件に、スタートスイッチ31を操作（ＯＮ操作）すると、複数の役のいずれかに当選したか、またはハズレかの抽選（当選抽選、或いは役抽選）が行われる。また、かかる当選抽選と略同時に、３個全ての回転リール40の回転が開始する。その後に、３個のストップスイッチ50のうちの１個を操作すると、当該ストップスイッチ50に対応した回転リール40の回転が停止する。そして、３個全てのストップスイッチ50の操作を終えると、３個全ての回転リール40の回転が停止する。このとき、いずれかの有効な入賞ライン上にいずれかの入賞図柄配列が揃うと、当該入賞図柄配列に対応した役の入賞となり、入賞態様に応じた枚数の遊技メダルを獲得できる。また、獲得した遊技メダルは、クレジットされ、クレジットされている遊技メダルの枚数が所定の上限値に達しているときは、払い出し口32から払い出し皿33へ払い出される。また、遊技メダルの獲得に変えて、或いは遊技メダルの獲得とともに、遊技者に対して、特別遊技へ移行等の所定の利益が付与されることもある。
【００３１】
（当選抽選手段）  前記当選抽選手段は、複数の役のいずれかに当選したかまたはハズレかの当選抽選（役抽選）を行うためのものである。
また、当選抽選手段は、当選乱数発生手段と、当選乱数抽出手段と、当選判定テーブルと、当選判定手段とを備えている。
前記当選乱数発生手段は、当選抽選用（役抽選用）の乱数を、所定の範囲内（例えば、１０進数で０〜１６３８３）で発生させるためのものである。本実施の形態では、当選乱数発生手段は、発振回路と、発振回路からのクロック信号が入力される毎に所定の範囲内で数値をインクリメントするカウンタ回路とによって構成されている（いわゆるハード乱数を発生させるハード乱数発生手段である）。
【００３２】
また、当選乱数抽出手段は、当選乱数発生手段が発生させた乱数を、所定の契機で抽出するためのものである。本実施の形態では、当選乱数抽出手段は、スタートスイッチ31が操作されたタイミングでカウンタ回路の数値をラッチするラッチ回路によって構成されている。また、当選判定テーブルは、当選乱数発生手段が発生させる範囲内の各乱数について、複数の役のいずれかに当選させるかまたはハズレかを予め定めたものである。本実施の形態では、当選判定テーブルには、０〜９９の数値範囲については、ビッグボーナスゲーム当選（ＢＢゲーム当選）として、１００〜２９９の数値範囲についてはレギュラーボーナスゲーム当選（ＲＢゲーム当選）とし、３００〜６９９の数値範囲については、小役当選とし、７００〜２９９９の数値範囲についてはリプレイ当選とし、それ以外の数値範囲については、ハズレとする旨が予め記憶されている。
【００３３】
また、当選判定手段は、当選乱数抽出手段が抽出した乱数と、当選判定テーブルとを照合して、複数の役のいずれかに当選したかまたはハズレかの判定を行うためのものである。本実施の形態では、当選判定手段は、ラッチ回路にラッチされている数値と、当選判定テーブルとを照合して、ＢＢゲーム当選か、ＲＢゲーム当選か、小役当選か、リプレイ当選か、或いはハズレかの判定を行う。例えば、ラッチ回路にラッチされている数値が１０であれば、当選判定手段は、ＢＢゲーム当選と判定し、また、ラッチ回路にラッチされている数値が１００００であれば、当選判定手段は、ハズレと判定する。
（停止制御手段）  前記停止制御手段は、各回転リール40の停止制御を行うためのものである。また、停止制御手段は、当選抽選手段の抽選結果と、各ストップスイッチ50が操作されたときの対応する回転リール40の回転位置とに基づいて、各回転リール40の停止制御を行う。
【００３４】
また、停止制御手段は、当選抽選でいずれかの役に当選したときには、その当選した役に対応する入賞図柄配列がいずれかの有効な入賞ライン上に揃い得るように、かつ、その当選した役以外の役に対応する入賞図柄配列についてはいずれの有効な入賞ライン上にも揃わないように、各回転リール40の停止制御を行う。
また、停止制御手段は、当選抽選でハズレたときには、いずれの有効な入賞ライン上にも、いずれの入賞図柄配列も揃わないように、各回転リール40の停止制御を行う。
（スタートスイッチ31（遊技機用スイッチ30））  上述したように、本実施の形態に係る遊技機用スイッチ30は、スタートスイッチ31に用いられている。
【００３５】
本実施の形態に係る遊技機用スイッチ30は、遊技機10の前面側の操作パネル35に固定される円筒状のケース90と、このケース90の前面に固定される装飾カバー45と、前端を遊技機10の前方へ突出させ後端を遊技機10の内部に位置させて揺動可能に軸支されているシャフトレバー120と、シャフトレバー120を中央位置に復帰させるための中央復帰ばね81と、このシャフトレバー120の手前側に固定された略球状の握り玉150と、シャフトレバー120の後方側に位置してシャフトレバー120の揺動に伴う変位によってＯＮとＯＦＦとの切り替えを検出する検出部100とを備えている。
（ケース90、装飾カバー45）  図２に示すように、ケース90は、略円筒状に形成されており、その前端付近を遊技機10の操作パネル35に固定されている。また、ケース90の前面には、円板状の装飾カバー45が固定されている。また、装飾カバー45の中央には、前後に貫通するカバー貫通孔46が設けられている。また、カバー貫通孔46の内径は、シャフトレバー120の外径よりも大きくしてある。そして、カバー貫通孔46には、シャフトレバー120が挿通されている。
【００３６】
（シャフトレバー120）  前記シャフトレバー120は、前端を手前側に突出させ、後端を遊技機10の内部に位置させて、揺動軸80により上下方向に揺動可能に軸支されている。
前記シャフトレバー120は、シャフトレバー120の後端部に位置して遊技機10の内部から前方へ突出する後シャフトレバー140と、シャフトレバー120の前端部に位置して後シャフトレバー140の前端に接続されて、更に前方へ突出する前シャフトレバー130と、後シャフトレバー140及び前シャフトレバー130を連結する連結部160とを備えている。
前記後シャフトレバー140の後端には、円板状の後ばね受け部材83が固定されている。そして、ケース90の内側には、内方に向かって突出するドーナツ状の前ばね受け部材82が形成されている。そして、前ばね受け部材82と、後ばね受け部材83との間には、シャフトレバー120を中央の中立位置に復帰させるための中央復帰ばね81が挟み込まれている。
【００３７】
前記後シャフトレバー140の後ばね受け部材83の後端には、四角板状の遮蔽部73が固定されている。この遮蔽部73は、シャフトレバー120がＯＦＦ状態（水平位置）のとき、フォトセンサー70の発光部71からの光が受光部72へ入射するのを遮蔽し、シャフトレバー120がＯＮ状態（傾斜位置）のとき、発光部71からの光が受光部72へ入射できるようにするためのものである。
前記シャフトレバー120の略中央位置には、揺動軸80が形成されている。この揺動軸80は、シャフトレバー120の側方を、シャフトレバー120が回転可能な状態で保持することができるように形成されている。この揺動軸80は、水平方向に配置され、かつシャフトレバー120に対して直角方向に形成されている。また、揺動軸80は、その反シャフトレバー120側をケース90に回動可能に保持されている。これにより、シャフトレバー120は、揺動軸80を中心に揺動可能とされ、シャフトレバー120の前端を下方へ押し下げると、後端が上方へ変位し、逆にシャフトレバー120の前端を上方へ変位させると、後端が下方へ変位するようになっている。また、シャフトレバー120の前端は、遊技機10の前方へ突出しており、また、シャフトレバー120の後端は、遊技機10の内部に位置するように形成されている。
【００３８】
（握り玉150）  前記握り玉150は、シャフトレバー120の前端に装着されて、外径が略球形に形成されている。この握り玉150は、特に図示していないが、前シャフトレバー130の前端側にねじ込まれることにより、シャフトレバー120の前端に固定されているものである。
（中央復帰ばね81）  前記中央復帰ばね81は、シャフトレバー120を中央位置に復帰させるためのものであって、図２に示すように、シャフトレバー120の揺動軸80よりも後端側に設けられている。具体的には、中央復帰ばね81は、後ばね受け部材83と、前ばね受け部材82との間に挿入されているコイル状の金属ばねからなるものである。そして、図２に示すように、このコイル状の中央復帰ばね81の内部に、シャフトレバー120が挿入されているものである。また、図２に示すように、中央復帰ばね81は、前ばね受け部材82と、後ばね受け部材83とによって、圧縮された状態で、シャフトレバー120の揺動軸80よりも後端側に外装されているものである。そして、中央復帰ばね81が圧縮された状態から元に戻ろうとする力によって、シャフトレバー120が中央位置（中立位置、水平位置）に復帰するようにしている。
【００３９】
（検出部100）  前記検出部100は、シャフトレバー120の後方側に位置して、シャフトレバー120の揺動に伴う変位によってＯＮとＯＦＦとの切り替えを検出するためのものである。図２に示すように、シャフトレバー120の後端に設けられている。具体的には、図２に示すように、ケース90の後端部には、フォトセンサー70が固定されている。このフォトセンサー70は、全体形状が、略コ字状であって、一端に発光素子（ＬＥＤ）が有する発光部71が配置され、他端に受光素子（フォトトランジスタ）を有する受光部72が配置されている。そして、そのコ字状の内部を、遮蔽部73が移動することにより、発光部71の発光素子からの光が受光部72へ入ることが遮断され、シャフトレバー120のＯＮ状態（傾斜状態）、ＯＦＦ状態（水平状態）の位置を検知可能なものである。
【００４０】
すなわち、シャフトレバー120が中央位置（水平状態）にあるときには、遮蔽部73が発光部71と受光部72との間に位置して、発光部71からの受光部72への光路を遮るが、シャフトレバー120が揺動したときには、シャフトレバー120の揺動に伴って遮蔽部73が変位することにより、遮蔽部73が発光部71と受光部72との間から退いて、発光部71から発せられた光が受光部72に届くようになっている。このようにして、ＯＮ状態と、ＯＦＦ状態との検出が可能になっている。
（連結部160）  前記連結部160は、後シャフトレバー140と、前シャフトレバー130とを連結するためのものである。前記連結部160は、後シャフトレバー140及び前シャフトレバー130を一体に揺動可能とすると共に、後方へ付勢されて移動可能な略円柱状の連結棒170と、この連結棒170から、この連結棒170の中心軸に交差する方向に向かって進退可能な略直方体状の移動体180とを備えている。本実施の形態では、移動体180は、上下方向（具体的には、連結棒170の中心軸に直交する方向且つ上下方向）に進退可能に形成されているが、特にこれに限定されるものではなく、連結棒170の中心軸に交差する方向であれば良いものである。例えば、移動体180は、連結棒170の中心軸に交差する方向であって、左右方向に進退可能に形成しても良いものである。また、移動体180は、連結棒170の中心軸に交差する方向であって、水平左右方向から上方に向かって斜め４５度に傾斜する方向に進退可能に形成しても良いものである。結果として、不正行為者（ゴト師）により、連結棒170に引っ掛けたワイヤ等が移動体180を押下して移動させることができるような方向に、移動体180が進退可能に形成されていれば良いものである。
【００４１】
前記移動体180は、外方（上方）に向かって突出して前シャフトレバー130に係止可能な移動係止部181を備えている。そして、この移動体180の上面側の一部は、前シャフトレバー130と後シャフトレバー140との間隙220から外方（上方）に向かって露出するように配置されている。
なお、後シャフトレバー140は、連結棒170を前後方向に摺動可能な後摺動収納部141を備え、前シャフトレバー130は、連結棒170を前後方向に摺動可能な前摺動収納部131を備えている。
前記後摺動収納部141は、後シャフトレバー140の中心に前端側から後方に向かって形成された円柱状の空間孔であり、その内径は、連結棒170の外径よりも僅かに大きくなるように形成されている。
【００４２】
前記前摺動収納部131は、前シャフトレバー130の中心に、後端側から前方に向かって形成された円柱状の空間孔であり、その内径は、連結棒170の外径よりも僅かに大きくなるように形成されている。
そして、後摺動収納部141の上面側には、移動体180の上面側に突出する移動係止部181が前後方向に移動可能とするための後移動溝142が形成されている。また、前摺動収納部131の上面側にも、移動体180の上面側に突出する移動係止部181が前後方向に移動可能とするための前移動溝132が形成されている。そして、前移動溝132の後端側には、上方から前移動溝132の内部に向かって突出する固定係止部133が形成されている。この固定係止部133は、前摺動収納部131の内方に突出することにより、移動体180の移動係止部181に係止可能なものである。
【００４３】
前記連結棒170は、全体形状が略円柱状であり、前摺動収納部131及び後摺動収納部141を前後方向に進退可能に形成されている。そして、この連結棒170には、連結棒170を後摺動収納部141の内部に引っ張るとともに、所定範囲以上には前方へ移動させない移動拘束手段190が取り付けられている。
前記連結棒170の上面側には、移動体180を収納すると共に、移動体180を上下方向に移動可能な移動体収納部240が形成されている。そして、移動体180と、移動体収納部240との間には、移動体180を上方に向かって付勢するばねである移動体用弾性体195が形成されている。このばねからなる移動体用弾性体195の弾性力により、移動体180を上方に向かって常に押し上げている。
【００４４】
移動係止部181が、固定係止部133に係止することにより、連結棒170が後摺動収納部141及び前摺動収納部131の両方に跨る位置で固定されたときに、前シャフトレバー130及び後シャフトレバー140が一体のシャフトレバー120として機能するように形成されている。
前シャフトレバー130と後シャフトレバー140との間隙220から入り込んだ異物が移動体180を移動させることにより、移動係止部181及び固定係止部133の係止が外れたときには、連結棒170が後摺動収納部141に移動し、シャフトレバー120が、前シャフトレバー130と後シャフトレバー140とに分離可能に形成されている。
（前傾斜部210、後傾斜部200）  前記後シャフトレバー140の前端には、前方側に向かうに従って高さが次第に低くなるように滑らかに傾斜する後傾斜部200が形成されている。この後傾斜部200は、後シャフトレバー140の前端の外径が前端に向かうに従って徐々に小さくなるようなテーパー状（円錐状）に形成されている。
【００４５】
そして、前シャフトレバー130の後端には、後方側に向かうに従って高さが次第に低くなるように滑らかに傾斜する前傾斜部210が形成されている。この前傾斜部210は、前シャフトレバー130の後端の外径が後端に向かうに従って徐々に小さくなるようなテーパー状（円錐状）に形成されている。そして、後傾斜部200及び前傾斜部210の間には、間隙220を形成し、図４に示すように、移動体180の移動係止部181が固定係止部133に係止した状態において、その間隙220から移動体180の一部が露出するように形成されている。
すなわち、後傾斜部200は、前傾斜部210の後方に位置しており、また、前傾斜部210は、後傾斜部200の前方に位置している。つまり、前傾斜部210の後方に、後傾斜部200が、間隙220を挟んで配置されている。また、前傾斜部210は、前シャフトレバー130から後方へ向かうに従って高さが次第に低くなるように滑らかに傾斜している。また、後傾斜部200は、前傾斜部210の後端から間隙220を挟んで、後方へ向かうに従って高さが次第に高くなるように滑らかに傾斜している。つまり、シャフトレバー120の上面において、前傾斜部210及び後傾斜部200によって、Ｖ字形の凹部が形成されている。このＶ字形の凹部は、前から後へ向かうと、まず下り傾斜し、間隙220があって、その後に上り傾斜するものである。また、前傾斜部210及び後傾斜部200の間隙220が、Ｖ字形の凹部の谷底になっている。
【００４６】
（移動体180、移動係止部181）  図４等に示すように、連結棒170の上部に開口する移動体収納部240の内部には、略直方体状の移動体180が収納されている。この移動体180は、弾性体としての移動体用弾性体195により上方に向かって付勢されている。この移動体用弾性体195は、コイル状のばねであって、移動体180の底面と、移動体収納部240との下面との間に圧縮された状態で収納され、常に、移動体180を上方に向かって押し上げる方向に弾性力を付与している。
前記移動体180は、前シャフトレバー130及び後シャフトレバー140が一体としてシャフトレバー120を形成している際、移動体収納部240の内部において、連結棒170の内部から上方に向かって一定の移動範囲内で移動可能に形成されている。
【００４７】
移動体180は、移動係止部181が上方に向かって突出するように形成されるとともに、移動範囲の上側にあるときには、移動係止部181が固定係止部133に係止して、前シャフトレバー130が後シャフトレバー140の前端から外れなくなるように形成されている。
具体的には、前記移動係止部181は、図４や、図９に示すように、移動体180の上面に形成され、移動体180の上面の前端側から後端側へ向かって上り傾斜となるような傾斜面を備えている。そして、その後、高さが低くなる方向の段差を形成している。かかる段差が固定係止部133に引っかかることにより、移動係止部181と固定係止部133との係止状態が発生するものである。
【００４８】
図４に示すように、シャフトレバー120の上部には、前傾斜部210と後傾斜部200とが設けられ、更に、前傾斜部210と後傾斜部200との間には、開いた状態の間隙220が設けられている。つまり、シャフトレバー120の上部には、Ｖ字形の凹部が設けられ、更に、Ｖ字形の凹部の谷底に相当する位置には、前後方向に開いた間隙220が形成されている。そして、移動体180が上下方向に移動する移動範囲の上側にあるときには、移動体180の上面の一部が、間隙220から上方に向かって露出した状態となっている。結果として、後傾斜部200と前傾斜部210との間は、間隙220を形成し、その間隙220から移動体180の上面の一部が露出するように形成されている。
【００４９】
そして、図４に示すような状態において、後傾斜部200及び前傾斜部210の間から露出する移動体180の一部を、図５及び図６に示すような不正行為ワイヤ300等の異物により、下方へ押圧すると、移動体180が下方へ移動するとともに移動係止部181が下方へ移動して、移動係止部181と固定係止部133との係止が解除されるように形成されている。
そして、前シャフトレバー130と後シャフトレバー140との間隙220から入り込んだ異物（不正行為ワイヤ300）が移動体180を移動させることにより、移動係止部181及び固定係止部133の係止が外れたときには、図７及び図８に示すように、連結棒170が後摺動収納部141に移動し、シャフトレバー120が、前シャフトレバー130と後シャフトレバー140とに分離するように形成されている。
【００５０】
（移動拘束手段190）  前記移動拘束手段190は、後摺動収納部141の内部に引っ張るとともに、所定範囲以上には前方へ移動させないためのものである。この移動拘束手段190は、連結棒170を後摺動収納部141側に引っ張る連結棒用弾性体191と、連結棒170が所定範囲以上に前方へ移動しないような突出防止ワイヤ192とを備えている。
前記連結棒用弾性体191は、連結棒170の後端と、後摺動収納部141の後端側の内面との間に引っ張り状態を維持したまま連結した弾性体、具体的には、ばねである。この連結棒用弾性体191により、連結棒170は、常時、弾性力により後方側へ引っ張られる状態となる。
【００５１】
前記突出防止ワイヤ192は、連結棒170の後端と、後摺動収納部141の後端側の内面との間に連結された金属ワイヤである。この突出防止ワイヤ192の長さは、図４に示すように、移動体180の移動係止部181が固定係止部133に係止した状態において、連結棒170と後摺動収納部141の後端との間の長さと一致するように形成されている。すなわち、図４に示すような状態において、握り玉150を遊技者が手前側に引っ張っても、握り玉150及び前シャフトレバー130が前方側へ移動しないように固定することができるものである。また、不正操作により、握り玉150及び前シャフトレバー130が、後シャフトレバー140から外れても、連結棒170が後摺動収納部141から飛び出してしまわないように形成されているものである。
【００５２】
（作用）  本実施の形態は、移動体180から突出する移動係止部181が、前摺動収納部131の固定係止部133に係止することにより、連結棒170が、前摺動収納部131及び後摺動収納部141の両方に跨る位置で固定されたときに、前シャフトレバー130及び後シャフトレバー140が一体のシャフトレバー120として機能する。すなわち、移動係止部181及び固定係止部133が係止している状態では、通常の一本のシャフトレバー120として機能し、握り玉150を握ってシャフトレバー120を揺動させることにより、検出部100を介して、ＯＮ、ＯＦＦの切り替えを行うことができる。
一方、不正行為者が、前シャフトレバー130と後シャフトレバー140との間隙220から、図５及び図６に示すような不正行為ワイヤ300を掛けると、前シャフトレバー130及び後シャフトレバー140の間から一部が露出する移動体180に接触する。移動体180は、連結棒170から進退可能に形成されていることにより、異物（不正行為ワイヤ300）が接触することで、移動体180が移動する。この移動体180の移動により、移動体180から突出する移動係止部181が移動して、移動係止部181及び固定係止部133の係止が外れたときには、連結棒170が後摺動収納部141へ付勢力により移動する。前シャフトレバー130及び後シャフトレバー140の両方に跨る位置にあることにより、両者を一体のシャフトレバー120として機能していた連結棒170が、後シャフトレバー140へ移動することにより、シャフトレバー120は、前シャフトレバー130と、後シャフトレバー140との２つに分離する。
更に、具体的に説明する。後シャフトレバー140の前端の後傾斜部200は、前方側に向かうに従って高さが次第に低くなるように滑らかに傾斜している。そして、前シャフトレバー130の後端の前傾斜部210は、後方側に向かうに従って高さが次第に低くなるように滑らかに傾斜している。そして、後傾斜部200及び前傾斜部210の間には、間隙220を形成し、その間隙220から移動体180の一部が露出している。すなわち、シャフトレバー120は、前傾斜部210及び後傾斜部200により、Ｖ字形の凹部が形成されることとなる。このＶ字形の凹部は、前から後へ向かうと、まず、下り傾斜し、移動体180が露出する間隙220が配置され、その後に上り傾斜するものである。この前傾斜部210と、後傾斜部200との間隙220が、Ｖ字形の凹部の谷底になり、この谷底の部分に、移動体180の一部が露出していることになる。
【００５３】
したがって、不正行為者が、図５及び図６に示すような不正行為ワイヤ300をシャフトレバー120の前傾斜部210から後傾斜部200の間に掛けて下方に引っ張ると、前傾斜部210又は後傾斜部200の斜面に案内されて、ピアノ線等の不正行為ワイヤ300が、前傾斜部210及び後傾斜部200の間隙220に入り込み、移動体180を下方に押圧することになる。
この移動体180は、連結棒170の移動体収納部240の内部から上方に向かって一定の移動範囲内で移動可能に形成され、その移動範囲の上側にあるときには、移動係止部181が固定係止部133に係止して、前シャフトレバー130が後シャフトレバー140の前端から外れないように形成されている。しかし、間隙220に入り込んだ不正行為ワイヤ300により、前傾斜部210及び後傾斜部200の間から露出する移動体180の一部が下方へ押圧されると、移動体180が下方へ移動するとともに、移動係止部181が下方へ移動して、移動係止部181と固定係止部133との係止が解除される。そして、移動係止部181及び固定係止部133の係止が外れたときには、図７及び図８に示すように、後摺動収納部141及び前摺動収納部131の両方に跨る位置にあった連結棒170が後摺動収納部141へ移動し、前摺動収納部131を連結棒170で保持することができなくなる。すなわち、シャフトレバー120が、前シャフトレバー130と、後シャフトレバー140とに分離される。
【００５４】
これにより、不正行為者は、遊技機用スイッチ30のシャフトレバー120が２つに分離したことにより、動揺し、また、シャフトレバー120の分離は、外部から一見して判別することができるため、遊技店の店員もすぐ気がつくことになる。これにより、不正行為の抑止を図ることができる。その上、このような形で、不正行為の抑止を図れば、制御プログラムが複雑化することもなく、また、ＯＮとＯＦＦとの切り替えが不安定になることもない。
また、本実施の形態では、移動拘束手段190の連結棒用弾性体191を備えていることにより、移動係止部181及び固定係止部133の係止が解除されたときに、連結棒170を後摺動収納部141の内部へ引っ張りこんで、連結棒170を後摺動収納部141内部へ収納することができる。また、移動拘束手段190の突出防止ワイヤ192は、連結棒170を所定範囲以上には前方へ移動させないことにより、前シャフトレバー130及び後シャフトレバー140を一体としたシャフトレバー120として機能させているときに、握り玉150を手前に引いても、前シャフトレバー130が、後シャフトレバー140から手前側に移動させないように固定することができる。
【００５５】
また、不正行為により、前シャフトレバー130及び後シャフトレバー140が分離されたときに、連結棒170を後摺動収納部141から、引っ張りだされることを防止することができる。
上記実施の形態では、不正行為ワイヤ300等で不正行為が行われると、握り玉150及び前シャフトレバー130が、後シャフトレバー140から完全に分離してしまうが、これに限定されるものではない。具体的には、例えば、図８の２点鎖線で示すように、前シャフトレバー130と、後シャフトレバー140との間に連結具230を形成しても良いものである。この連結具230は、前シャフトレバー130が、後シャフトレバー140から外れた状態でも、前シャフトレバー130を後シャフトレバー140に繋いでおくためのものである。
【００５６】
これにより、たとえ不正行為が行われて後シャフトレバー140の前端から、前シャフトレバー130及び握り玉150が外れたとしても、外れた前シャフトレバー130及び握り玉150が連結具230により、後シャフトレバー140に繋ぎ止められることから、外れた前シャフトレバー130及び握り玉150が紛失することを防止することができる。なお、連結具230を金属ワイヤ等で形成すると、連結具230の間に不正行為ワイヤ300が引っ掛けられるおそれがあるので、連結具230を伸び縮みするような強化ゴム等の弾性紐状部材から形成すると、更に好適である。
【図面の簡単な説明】
【００５７】
【図１】本発明の実施の形態であって、遊技機を示す外観斜視図である。
【図２】本発明の実施の形態であって、遊技機用スイッチの断面図であって、（Ａ）は遊技機用スイッチを示す縦断面図、（Ｂ）は遊技機用スイッチを示す横断面図である。
【図３】本発明の実施の形態であって、前シャフトレバー及び後シャフトレバーが一体としてシャフトレバーとして使用されている状態の遊技機用スイッチを示す部分縦断面図である。
【図４】本発明の実施の形態であって、前シャフトレバー及び後シャフトレバーが一体としてシャフトレバーとして使用されている状態の遊技機用スイッチを示す部分拡大縦断面図である。
【図５】本発明の実施の形態であって、不正行為ワイヤが掛けられて移動体が押し下げられている状態の遊技機用スイッチを示す部分縦断面図である。
【図６】本発明の実施の形態であって、不正行為ワイヤが掛けられて移動体が押し下げられている状態の遊技機用スイッチを示す部分拡大縦断面図である。
【図７】本発明の実施の実施の形態であって、連結棒が引っ込んで前シャフトレバーが外れた状態の遊技機用スイッチを示す部分縦断面図である。
【図８】本発明の実施の形態であって、連結棒が引っ込んで前シャフトレバーが外れた状態の遊技機用スイッチを示す部分拡大縦断面図である。
【図９】本発明の実施の形態であって、遊技機用スイッチを示す部分拡大外観斜視図である。
【符号の説明】
【００５８】
10  遊技機                              11  筐体
12  表示窓                              13  図柄表示窓
14  前扉                                15  投入スイッチ
16  ベットスイッチ                      17  精算スイッチ
18  メダル投入口                        30  遊技機用スイッチ
31  スタートスイッチ                    32  払い出し口
33  払い出し皿                          35  操作パネル
40  回転リール                          42  リールテープ
45  装飾カバー                          46  カバー貫通孔
50  ストップスイッチ                    60  リールユニット
61  図柄                                65  払い出し装置
66  報知手段                            67  スピーカー
68  表示装置                            69  報知ランプ
70  フォトセンサー                      71  発光部
72  受光部                              73  遮蔽部
80  揺動軸                              81  中央復帰ばね
82  前ばね受け部材                      83  後ばね受け部材
90  ケース                              100  検出部
120  シャフトレバー                    130  前シャフトレバー
131  前摺動収納部                      132  前移動溝
133  固定係止部                        140  後シャフトレバー
141  後摺動収納部                      142  後移動溝
150  握り玉                            160  連結部
170  連結棒                            180  移動体
181  移動係止部                        190  移動拘束手段
191  連結棒用弾性体                    192  突出防止ワイヤ
195  移動体用弾性体                    200  後傾斜部
210  前傾斜部                          220  間隙
230  連結具                            240  移動体収納部
300  不正行為ワイヤ
【図１】
2009028383.tif 000003
【図２】
2009028383.tif 000004
【図３】
2009028383.tif 000005
【図４】
2009028383.tif 000006
【図５】
2009028383.tif 000007
【図６】
2009028383.tif 000008
【図７】
2009028383.tif 000009
【図８】
2009028383.tif 000010
【図９】
2009028383.tif 000011